(57)【要約】  本発明は、決済を履行しなければならない者（以下、‘買い手’と称する）が、ＴＶホームショッピング、ショッピングモール、食堂、配達業店のように決済を受ける者（以下、‘販売者’と称する）に携帯電話を使って各種クレジットカード、キャッシュカード（以下、‘カード’と総称する）として決済して、前記販売者は、携帯電話、コンピューター、携帯端末（ＰＤＡ）（以下、‘決済受信端末機’と総称する）などで決済を直ちに確認することができる携帯電話モバイルを利用した安心決済システム及びその決済方法に関するものであり、より詳細には、買い手が自分のカードが登録された携帯電話で決済システムに接続して、販売者の情報と決済金額及びパスワードを入力して送れば、決済システムでこれを認知して保存後、必要情報を抽出してカード会社及び金融企業に送って、前記カード会社及び金融企業から承認が許諾されれば、決済システムのプロセス隊列に承認番号が自動入力されると共に買い手及び販売者の携帯電話に決済文字情報（ＳＭＳ）を送る一方、販売者の決済受信端末機に伝送されて、販売者が決済確認がなされるようにする携帯電話モバイルを利用した安心決済システム及びその決済方法に関する。  本発明は、自分が所持した携帯電話でカード決済を遂行する買い手と、前記買い手のカード承認を承諾するカード会社及び金融企業と、前記買い手のカード承認要請で決済受信端末機を通じて決済状態をリアルタイムで確認する販売者と、前記買い手、販売者、カード会社及び金融企業相互間の決済に必要なすべての情報を中継して、買い手の携帯電話と販売者の決済受信端末機に決済に必要な画面を提供して相互間の決済情報を暗号化して保存する安心決済システムが具備されて、前記安心決済システムは、買い手や販売者の入力情報、買い手の携帯電話及び販売者の決済受信端末機シリアル情報、利用者の暗号情報を保存管理して、それぞれのプロセスをマッチングして必要情報を抽出して挿入する情報管理プロセスと、前記販売者の入力情報を基盤に買い手が安心決済システムに接続時に買い手のフォンページに加盟店をリップル出力させる顧客管理プロセスと、前記情報管理プロセスで必要情報を抽出して買い手、カード会社及び金融企業、販売者の情報内容、携帯電話及び決済受信端末機のシリアル番号を抽出してマッチングして、フォン及びホームページプロセスとＳＭＳ発送プロセスの隊列に自動入力する決済実行プロセスと、前記買い手及び販売者に文字情報を自動伝送するＳＭＳ発送プロセスと、前記買い手及び販売者が安心決済システムを通じて決済時に要求情報、購買商品、決済する金額などすべての決済進行事項をフォンページまたはホームページの画面に出力するフォン及びホームページプロセスと、前記買い手が安心決済システムに接続時に買い手の位置座標を認識して同一区域の座標とマッチングして一定半径以内の加盟店をフォンページに表示する位置情報プロセスと、前記安心決済システムで買い手とカード会社及び金融企業及び販売者の間に交換されるすべての情報を携帯電話とインターネットの公衆通信網に送受信するデータ伝送プロセスで構成されて買い手が販売者（決済を受ける者）の情報を認識して、前記安心決済システムを通じて���ード決済を遂行するようにすることに特徴がある。【選択図】図５ｂ
2014509428.tif 000002
【特許請求の範囲】
【請求項１】
自分が所有する携帯電話でカード決済を遂行する買い手携帯電話２０と、前記買い手携帯電話２０のカード承認を承諾するカード会社及び金融企業サーバー３０と、前記買い手携帯電話２０のカード承認要請で決済受信端末機を通じて決済状態をリアルタイムで確認する販売者決済受信端末機４０と、前記買い手携帯電話２０、販売者の決済受信端末機４０、カード会社及び金融企業サーバー３０相互間の決済に必要なすべての情報を中継して、買い手携帯電話２０と販売者決済受信端末機４０の決済に必要な画面を提供して、相互間の決済情報を暗号化して保存する安心決済システム１０が具備されて、
前記安心決済システム１０は、買い手携帯電話２０を通じて入力される買い手情報及び販売者決済受信端末機４０を通じて入力される販売者情報、前記買い手携帯電話２０及び販売者決済受信端末機４０のシリアル情報、買い手及び販売者の暗号情報を保存管理する情報管理プロセス１１と、前記販売者の決済受信端末機４０の販売者情報を基盤に買い手携帯電話２０が安心決済システム１０に接続時買い手携帯電話２０のフォンページに販売者の商品情報を出力させる顧客管理プロセス１２と、
買い手が買い手携帯電話２０の決済要請によって前記情報管理プロセス１１に保存されたカード番号とカード有効期間を抽出してカード会社及び金融企業サーバー３０に送って決済承認情報を受信して、その内容を保存して決済承認番号をＳＭＳ発送プロセス１４とフォン及びホームページプロセス１５に入力する決済実行プロセス１５と、前記買い手携帯電話２０及び販売者決済受信端末機４０に買い手の情報と販売者の情報を文字で自動伝送するＳＭＳ発送プロセス１４と、
前記買い手携帯電話２０及び販売者決済受信端末機４０が安心決済システム１０を通じて決済時要求情報、購買商品、決済する金額のすべての決済進行事項をフォンページまたはホームページの画面に出力するフォン及びホームページプロセス１５と、
前記買い手携帯電話２０が安心決済システム１０に接続時買い手携帯電話２０の位置座標を認識して同一区域の座標とマッチングして一定半径以内の加盟店をフォンページに表示する位置情報プロセス１６と、
前記安心決済システム１０で買い手携帯電話２０とカード会社及び金融企業サーバー３０、販売者の決済受信端末機４０の間に交換されるすべての情報を携帯電話とインターネットの公衆通信網に送受信するデータ伝送プロセス１７で構成されて、
前記販売者の情報である加盟店番号は加盟店番号を国家番号３桁、地域識別番号４桁、個人識別番号４桁でなされて買い手携帯電話２０と販売者の加盟店番号を認識して前記安心決済システム１０を通じてカード決済を遂行するようにすることを特徴とする携帯電話モバイルを利用した安心決済システム。
【請求項２】
前記安心決済システム１０に登録した販売者加盟店の所定位置には、加盟店番号と従属番号が保存された加盟店情報チップ４１が設置されて、前記買い手携帯電話２０には前記加盟店情報チップ４１と近距離通信で販売者の加盟店番号と従属番号の情報を読み込む決済情報認識チップ２１を設置して、前記従属番号は飲食店の座席番号、カラオケの客室番号、ホテルの客室番号、ショッピングモール及びホームショッピングの商品番号、配達業種の配達者番号、自動車番号のうちでいずれか一つを使用することを特徴とする請求項１に記載の携帯電話モバイルを利用した安心決済システム。
【請求項３】
携帯電話でカード決済を遂行する買い手携帯電話と、前記買い手携帯電話のカード承認を承諾するカード会社及び金融企業サーバーと、前記買い手携帯電話のカード承認要請で決済状態をリアルタイムで確認する販売者決済受信端末機と、前記買い手携帯電話、販売者の決済受信端末機、カード会社及び金融企業サーバー相互間の決済に必要な情報を中継して決済に必要な画面を提供する安心決済システムが具備された携帯電話モバイルを利用した安心決済システムにおいて、
前記買い手携帯電話で決済システムに接続して安心決済システムに必要なプログラムをダウンロード設置すれば、安心決済システムでカード情報及び買い手情報を要求する画面を表示する買い手モバイルカード設置過程（Ｌ１）、
前記買い手携帯電話モバイルカード設置過程（Ｌ１）の完了後、買い手携帯電話でカード情報、買い手情報を入力して送れば安心決済システムでこれの情報を受信してカード会社及び金融企業サーバーに買い手携帯電話の登録とモバイルカード登録を要請する買い手モバイルカード認証要請過程（Ｌ２）、
前記安心決済システムで買い手モバイルカード認証要請過程（Ｌ２）の完了後、カード会社及び金融企業サーバーから安心決済システムに登録完了情報を送って、前記安心決済システムでこれの情報が受信される場合仮認証後、登録情報を保存する買い手モバイルカード仮認証過程（Ｌ３）、
前記安心決済システムで買い手モバイルカード仮認証過程（Ｌ３）の遂行後、買い手携帯電話で決済暗号及び緊急暗号要求画面が表示される買い手モバイルカード認証準備過程（Ｌ４）、
前記安心決済システムで買い手モバイルカード認証準備過程（Ｌ４）の完了後、買い手の決済暗号が伝送されれば買い手携帯電話のフォンページに仮想決済実行画面を表示して、仮想決済が完了すれば接続情報、決済暗号保存及び最終認証して、登録完了文字情報を発送する買い手モバイル最終認証過程（Ｌ５）でなされて買い手携帯電話が安心決済システムに接続して、カード会社及び金融企業サーバーから決済金額の承認を受けるように登録する買い手登録過程７０と、
販売者の決済受信端末機で安心決済システムに接続してプログラムをダウンロード及び設置すれば、販売者決済受信端末機の情報を入力する画面を表示する決済システム販売者設置過程（Ｌ６）、
前記決済システム販売者設置過程（Ｌ６）完了後、販売者の情報を入力して送れば販売者決済受信端末機４０の情報保存と同時にカード会社及び金融企業サーバーに加盟店登録を要請する販売者認証要請過程（Ｌ７）、
前記販売者認証要請過程（Ｌ７）が完了して加盟店登録完了情報が受信されれば、販売者決済受信端末機の接続情報を入力して送って、前記接続情報の受信時加盟店番号及び最終認証完了して加盟店登録文字情報を発送する販売者認証過程（Ｌ９）でなされて販売者が安心決済システムに接続して買い手携帯電話の承認を受けた決済金額をカード会社及び金融企業から承認を受けることができるように登録する販売者登録過程９０と、
前記買い手登録過程７０及び販売者登録過程９０が完了すれば、前記買い手携帯電話が決済のために安心決済システムのホームページに接続する決済システム接続過程（Ｌ１１）と、
前記決済システム接続過程（Ｌ１１）が完了すれば、安心決済システムで買い手情報、販売者の情報、決済方法を要求する画面を買い手携帯電話のフォンページに表示して、買い手がこれの情報を入力して送る情報入力過程（Ｌ１２）と、
前記情報入力過程（Ｌ１２）が完了すれば、安心決済システムで買い手情報及び販売者商品情報を比較分析して、その情報が一致すれば、販売者情報を買い手携帯電話フォンページで購買確認すれば決済内容と決済暗号要求画面を表示する買い手確認過程（Ｌ１３）と、
前記買い手確認過程（Ｌ１３）が完了すれば、買い手携帯電話を通じて決済方法、決済情報、決済暗号を入力後、安心決済システムに決済承認要請して、前記安心決済システムはこれを認知してカード会社及び金融企業サーバーで前記決済情報と買い手カード番号有効期限を抽出して暗号化して決済承認要請を自動送信して、前記カード会社及び金融企業では決済承認可否の結果を安心決済システムに送るカード承認過程（Ｌ１４）と、
前記カード承認過程（Ｌ１４）が完了後、安心決済システムではカード会社及び金融企業サーバーからカード承認情報受信時に情報管理プロセス、顧客管理プロセス、決済実行プロセス、ＳＭＳ発送プロセス、フォン及びホームページプロセス、位置情報プロセス、データ伝送プロセス隊列に自動入力保存して、買い手携帯電話に承認完了画面を表示して、決済完了文字情報を送る決済終決過程（Ｌ１５）でなされて、
前記従属番号は飲食店の座席番号、カラオケの客室番号、ホテルの客室番号、ショッピングモール及びホームショッピングの商品番号、配達業種の配達者番号、自動車番号のうちでいずれか一つを使って、
前記決済システム接続過程（Ｌ１１）の遂行時に安心決済システムの位置情報プロセスによって一定半径以内の加盟店が買い手の携帯電話画面に表示されるようにして、
前記販売者情報の加盟店番号は国家番号３桁、地域識別番号４桁、個人識別番号４桁でなされることを特徴とする携帯電話モバイルを利用した安心決済方法。
【請求項４】
携帯電話でカード決済を遂行する買い手携帯電話と、前記買い手携帯電話のカード承認を承諾するカード会社及び金融企業サーバーと、前記買い手のカード承認要請で決済状態をリアルタイムで確認する販売者決済受信端末機と、相互間の決済に必要なすべての情報を中継して、決済に必要な画面を提供する安心決済システムが具備されて、販売者のテーブルには加盟店番号と従属番号が保存された加盟店情報チップが設置されて、前記買い手携帯電話には前記加盟店情報チップと近距離通信で販売者の情報を読み込む決済情報認識チップを設置した携帯電話モバイルを利用した安心決済システムにおいて、
前記買い手携帯電話で安心決済システムに接続後、決済情報認識チップと加盟店情報チップとの間にお互いに近接通信されることを認知する近接通信過程（Ｌ１７）と、
前記近接通信過程（Ｌ１７）が完了すれば、買い手携帯電話は加盟店情報チップに保存された販売者の加盟店番号と従属番号を抽出して安心決済システムに加盟店番号と従属番号に該当する販売者の販売情報を買い手携帯電話に表示して決済承認要請する接続及び確認過程（Ｌ１８）と、
前記接続及び確認過程（Ｌ１８）が完了すれば、以後の信用決済過程でのカード承認過程（Ｌ１４）、決済終決過程（Ｌ１５）、販売者の決済内容伝送過程（Ｌ１６）を順次に進行して、前記販売者情報の加盟店番号は加盟店番号を国家番号３桁、地域識別番号４桁、個人識別番号４桁でなされて、前記従属番号は飲食店の座席番号、カラオケの客室番号、ホテルの客室番号、ショッピングモール及びホームショッピングの商品番号、配達業種の配達者番号、自動車番号のうちでいずれか一つを使用することを特徴とする携帯電話モバイルを利用した安心決済方法。
【発明の詳細な説明】
【技術分野】
【０００１】
本発明は、決済を履行しなければならない者（以下、‘買い手’と称する）がＴＶホームショッピング、ショッピングモール、食堂、配達業店のように決済を受ける者（以下、‘販売者’と称する）に携帯電話を使って各種クレジットカード、キャッシュカード（以下、‘カード’と総称する）で決済して、前記販売者は携帯電話、コンピューター、携帯端末（ＰＤＡ）（以下、‘決済受信端末機’と総称する）などで決済を直ちに確認することができる携帯電話モバイルを利用した安心決済システム及びその決済方法に関するものであり、より詳細には、買い手が自分のカードが登録された携帯電話で決済システムに接続して、販売者の情報と決済金額及びパスワードを入力して送れば決済システムでこれを認知して保存後、必要情報を抽出してカード会社及び金融企業に送って、前記カード会社及び金融企業から承認が許諾されれば決済システムのプロセス隊列に承認番号が自動入力されると共に買い手及び販売者の携帯電話で決済文字情報（ＳＭＳ）を送る一方、販売者の決済受信端末機に伝送されて、販売者の決済確認がなされるようにする携帯電話モバイルを利用した安心決済システム及びその決済方法に関する。
【背景技術】
【０００２】
最近に入ってＩＴ産業と通信技術の発達により、携帯電話の種類は多様で、機能も非常に多くなっている。現代人に必須な携帯用通信装備として考えられており、各カード会社及び金融企業は競争的に集積回路（ＩＣ）チップを携帯電話に搭載して、クレジットカード機能と携帯電話機能を同時に利用することができる携帯電話モバイルカード（ｍｏｂｉｌｅ  ｃａｒｄ）の導入を追求している。
【０００３】
特に、一部カード会社及び金融企業は、モバイルカードを市販しているが、携帯電話のモバイルカードに保存された個人情報を１０ｃｍ以内で情報を読んで送る一般カードシステム方式の端末機（別名、ドングル）が必要であり、このような端末機は設置に莫大な費用と期間が必要なだけでなく、買い手情報を端末機が抽出認識することで買い手の情報が容易に流出されて保安が難しく紛失や不正使用などによって、多くの問題点を有している。
【０００４】
また、携帯電話に搭載されたモバイルカードは、端末機がない食堂、洋品店、ランドリー、在来の市場、ＴＶホームショッピングとショッピングモール、タクシー、配達業種（食品配達業、花束配達業など）などではカードとして決済が不可能であることで、モバイルカードの使用が制限される問題点がある。
【発明の概要】
【発明が解決しようとする課題】
【０００５】
本発明は、買い手（決済者）が安心決済システムに自分が所持した携帯電話で自分の信用（キャッシュ）カードの情報を保存して、買い手自分の携帯電話で安心決済システムに接続して販売者（決済を受ける者）の情報（加盟店番号＋従属番号）を入力伝送することで表示される決済情報（購買内訳、金額）を確認及び承認要請して、前記安心決済システムではカード会社及び金融企業と送受信通信して買い手が要請した承認結果を買い手の携帯電話に送って、販売者は携帯電話、コンピューター、ＰＤＡのような決済受信端末機を通じてリアルタイムで送って確認することができる携帯電話モバイルを利用したカード決済システム及びそのシステムを利用したカード決済方法を提供する。
【０００６】
このような本発明は、買い手の情報を販売者に提供しないで販売者の情報を買い手が認知して安心決済システムに送る形態の決済がなされるようにすることで決済のための情報提供者を以前の買い手（カード）から販売者（加盟店番号、従属番号）に切り替えて買い手の情報露出を根源的に遮断することだけではなく、販売者は別途の決済端末機設置が必要なくて費用と時間の無駄使いを最小化して、大部分の販売者と買い手が利用することができるので、早い時間に携帯電話モバイルカードの使用を拡散させることができるようにすることを技術的課題とする。
【課題を解決するための手段】
【０００７】
本発明は、自分が所持した携帯電話でカード決済を遂行する買い手２０と、前記買い手２０のカード承認を承諾するカード会社及び金融企業３０と、前記買い手２０のカード承認要請で決済受信端末機を通じて決済状態をリアルタイムで確認する販売者４０と、前記買い手２０、販売者４０、カード会社及び金融企業３０相互間の決済に必要なすべての情報を中継して買い手２０の携帯電話と販売者４０の決済受信端末機に決済に必要な画面を提供して、相互間の決済情報を暗号化して保存する安心決済システム１０が具備され、
前記安心決済システム１０は、買い手２０や販売者４０の入力情報、買い手２０の携帯電話及び販売者４０の決済受信端末機シリアル情報、利用者の暗号情報を保存管理して、それぞれのプロセスをマッチングして必要情報を抽出して挿入する情報管理プロセス１１と、
前記販売者４０の入力情報を基盤に買い手２０が安心決済システム１０に接続時買い手２０のフォンページに加盟店をリップル出力させる顧客管理プロセス１２と、前記情報管理プロセス１１で必要情報を抽出して買い手２０、カード会社及び金融企業３０、販売者４０の情報内容、携帯電話及び決済受信端末機のシリアル番号を抽出してマッチングして、フォン及びホームページプロセス１５とＳＭＳ発送プロセス１４の隊列に自動入力する決済実行プロセス１３と、前記買い手２０及び販売者４０に文字情報を自動伝送するＳＭＳ発送プロセス１４と、前記買い手２０及び販売者４０が安心決済システム１０を通じて決済時の要求情報、購買商品、決済する金額などすべての決済進行事項をフォンページまたはホームページの画面に出力するフォン及びホームページプロセス１５と、前記買い手２０が安心決済システム１０に接続時、買い手２０の位置座標を認識して同一区域の座標とマッチングして一定半径以内の加盟店をフォンページに表示する位置情報プロセス１６と、前記安心決済システム１０から買い手２０とカード会社及び金融企業３０及び販売者４０との間に交換されるすべての情報を携帯電話とインターネットの公衆通信網に送受信するデータ伝送プロセス１７で構成されて、買い手（決済者）が販売者（決済を受ける者）の情報を認識して前記安心決済システム１０を通じてカード決済を遂行するようにすることを特徴とする。
【０００８】
前記決済受信端末機は、インターネットが可能な携帯電話、コンピューター、携帯端末（ＰＤＡ）、ポスコンピューター、ナビゲーションのうちでいずれか一つを選択的に使用することを特徴とする。
【０００９】
前記安心決済システム１０に登録した販売者４０は、加盟店番号と従属番号が保存された加盟店情報チップ４１を具備して、前記買い手２０が所持した携帯電話には前記加盟店情報チップ４１と近距離通信で販売者４０の情報を読み込む決済情報認識チップ２１を内外装設置したことを特徴とする。
【００１０】
また、本発明は、携帯電話でカード決済を遂行する買い手と、前記買い手のカード承認を承諾するカード会社及び金融企業と、前記買い手のカード承認要請で決済状態をリアルタイムで確認する販売者と、相互間の決済に必要なすべての情報を中継して決済に必要な画面を提供する安心決済システムが具備された携帯電話モバイルを利用した安心決済システムにおいて、前記買い手が安心決済システムに接続してカード会社及び金融企業から決済金額の承認を受けるように登録する買い手登録過程７０と、販売者が安心決済システムに接続して買い手が承認を受けた、決済金額をカード会社及び金融企業から承認を受けることができるように登録する販売者登録過程９０と、前記買い手登録過程７０及び販売者登録過程９０が完了すれば、前記買い手が決済のために安心決済システムのホームページに接続する決済システム接続過程Ｌ１１と、前記決済システム接続過程Ｌ１１が完了すれば、買い手の携帯電話に買い手情報（ＩＤ／パスワード）、販売者情報（加盟店番号／従属番号）、決済方法を要求する画面が表示されて、これの情報を入力選択して送る情報入力過程（Ｌ１２）と、前記情報入力過程（Ｌ１２）が完了すれば、買い手及び販売者の入力情報と保存情報が一致すれば販売者情報を抽出して買い手の携帯電話フォンページに決済内容（商品内訳／決済金額）と決済暗号要求画面を表示する買い手確認過程（Ｌ１３）と、前記買い手確認過程（Ｌ１３）が完了すれば、決済方法（信用／安心）、決済情報（カード種類／分割払い）、決済暗号を選択及び承認要請して、安心決済システムはこれを認知してカード会社及び金融企業に自動送受信して、カード会社及び金融企業では承認可否の結果を安心決済システムに送るカード承認過程（Ｌ１４）と、前記カード承認過程（Ｌ１４）が完了後、カード会社及び金融企業からカード承認情報受信時の決済情報をそれぞれのプロセス隊列に自動入力保存して、買い手携帯電話及び販売者の決済受信端末機に承認完了画面を表示して、決済完了文字情報（ＳＭＳ）を送る決済終決過程（Ｌ１５）でなされることを特徴とする。
【００１１】
前記従属番号は、飲食店の座席番号、カラオケの客室番号、ホテルの客室番号、ショッピングモール及びホームショッピングの商品番号、配達業種の配達者番号、自動車番号のうちでいずれか一つを選択的に使用することを特徴とする。
【００１２】
前記決済システム接続過程（Ｌ１１）の遂行時位置情報プロセスによって一定半径以内の加盟店が買い手の携帯電話画面に表示されるようにすることを特徴とする。
【００１３】
前記買い手登録過程７０は、買い手が携帯電話で決済システムに接続して安心決済システムに必要なプログラムをダウンロード設置すれば、カード情報及び買い手情報を要求する画面が表示される買い手モバイルカード設置過程（Ｌ１）と、前記買い手モバイルカード設置過程（Ｌ１）の完了後、カード情報、買い手情報を入力伝送して、安心決済システムでこれの情報を受信してカード会社及び金融企業に買い手の登録とモバイルカード登録を要請する買い手モバイルカード認証要請過程（Ｌ２）と、前記買い手モバイルカード認証要請過程（Ｌ２）の完了後、カード会社及び金融企業で買い手の情報が一致すれば安心決済システムで登録完了情報を送って、これの情報が受信される場合に仮認証して、登録情報を保存する買い手モバイルカード仮認証過程（Ｌ３）と、前記買い手モバイルカード仮認証過程（Ｌ３）の遂行後、接続情報（ＩＤ／パスワード）を入力して送れば、決済暗号及び緊急暗号要求画面が表示される買い手モバイルカード認証準備過程（Ｌ４）と、前記買い手モバイルカード認証準備過程（Ｌ４）の完了後、買い手の決済暗号を入力して送れば携帯電話のフォンページに仮想決済実行画面を表示して、仮想決済が完了すれば接続情報、決済暗号保存及び最終認証して、登録完了文字情報（ＳＭＳ）を発送する買い手モバイル最終認証過程（Ｌ５）でなされることを特徴とする。
【００１４】
前記販売者登録過程９０は、販売者が所持した携帯電話、コンピューター、ＰＤＡ、ポスコンピューター、ナビゲーションのうちで選択されたいずれか一つの決済受信端末機として安心決済システムに接続してプログラムをダウンロード及び設置すれば、販売者の情報を入力する画面を表示する決済システム販売者設置過程（Ｌ６）と、前記決済システム販売者設置過程（Ｌ６）完了の後、販売者の情報を入力して送れば、販売者４０の情報保存と同時にカード会社及び金融企業に加盟店登録を要請する販売者認証要請過程（Ｌ７）と、前記販売者認証要請過程（Ｌ７）が完了して加盟店登録完了情報が受信されれば販売者の接続情報を入力して送って、前記接続情報の受信時に加盟店番号及び最終認証完了して加盟店登録文字情報（ＳＭＳ）を発送する販売者認証過程（Ｌ９）でなされることを特徴とする。
【００１５】
前記買い手モバイルカード仮認証過程（Ｌ３）及び販売者認証要請過程（Ｌ７）で買い手の携帯電話シリアル番号と販売者の携帯電話、コンピューター、ＰＤＡ、ポスコンピューター、ナビゲーションのうちで選択されたいずれか一つの決済受信端末機のシリアル番号を抽出及び保存することを特徴とする。
【００１６】
前記買い手登録過程７０の買い手モバイルカード最終認証過程（Ｌ４）で買い手のアイディー（ＩＤ）を設定する場合、前の二字が後に付く緊急パスワードが自動設定されて、前記ＩＤと自動付与された緊急パスワード及び緊急暗号を入力して送れば、安心決済システムで買い手が緊急状態であることを認知して、１１２に緊急救助要請を自動伝送することを特徴とする。
【００１７】
また、本発明は、携帯電話でカード決済を遂行する買い手と、前記買い手のカード承認を承諾するカード会社及び金融企業と、前記買い手のカード承認要請で決済状態をリアルタイムで確認する販売者と、相互間の決済に必要なすべての情報を中継して決済に必要な画面を提供する安心決済システムが具備されて、販売者の加盟店番号と従属番号が保存された加盟店情報チップを具備して、前記買い手が所持した携帯電話には前記加盟店情報チップと近距離通信で販売者の情報を読み込む決済情報認識チップを内蔵または外装設置した携帯電話モバイルを利用した安心決済システムにおいて、前記買い手の携帯電話で安心決済システムに接続後、決済情報認識チップと加盟店情報チップとの間にお互いに近接通信されることを認知する近接通信過程（Ｌ１７）と、前記近接通信過程（Ｌ１７）が完了すれば買い手の携帯電話では加盟店情報チップに保存された販売者の加盟店番号と従属番号を抽出して、これの情報に該当する決済する内容を承認要請する接続及び確認過程（Ｌ１８）と、前記接続及び確認過程（Ｌ１８）が完了すれば以後の信用決済過程でのカード承認過程（Ｌ１４）、決済終決過程（Ｌ１５）、販売者の決済内容伝送過程（Ｌ１６）を順次に進行することを特徴とする。
【発明の効果】
【００１８】
本発明による携帯電話モバイルを利用したカード決済システム及びそのシステムを利用したカード決済方法は、買い手（決済者）が販売者（決済を受ける者）の加盟店番号（従属番号含み）を直接入力して、販売者（決済を受ける者）は携帯電話、コンピューター、ＰＤＡのような決済受信端末機で決済を受けることができるようにすることで、買い手（決済者）のカード情報露出がなくてすべてのカード会社及び金融企業が利用することができるし、販売者は別途の構築経費なしに施行することができて便利さを提供するようになる。
【００１９】
すなわち、既存のカード決済方法は、販売者（決済を受ける者）が買い手（決済者）のカードを渡し受けてカード決済した後、買い手にカードを返してやる決済方法とは反対に買い手（決済者）が販売者（決済を受ける者）の情報（加盟店番号、従属番号）を受けて安心決済システムを通じてカード決済を遂行する支払い方法である。
【００２０】
このような本発明は、食堂、洋品店、配達業店、在来の市場とすべての業種でモバイル端末機が必要ではないだけでなく、携帯電話、コンピューター、ＰＤＡのようにインターネットが可能な機器（決済受信端末機）で決済を受けることができて誰も使用することができて便利さを提供することで取付費がほとんど必要でならなくて販売者（決済を受ける者）の費用負担を玄著に節減することができる効果がある。
【００２１】
また、本発明は、使用者が決済手段であるカードの所持が必要でなくなって、保安露出と複製ができなくて紛失及び犯罪による他人の使用が不可能であることは勿論、拉致や監禁などによる緊急状況発生時に設定された緊急暗号を使って１１２に緊急救助要請が自動伝送されるので、犯罪を前もって予防する効果がある。
【００２２】
また、本発明は、端末機が具備されない小規模食堂、ランドリー、在来の市場、配達業種（食品配達業、花束配達業など）などでも買い手が携帯電話を使って安心決済システムに接続後、販売者の加盟店番号、従属番号入力だけでカード決済がなされることによってモバイルカードの使用制限を無くす効果がある。
【００２３】
また、本発明は、位置情報プロセス１６を利用して、販売者４０の加盟店番号を容易に捜すことができて、加盟店番号を入力する不便を最小化することで、携帯電話モバイルを利用した決済システムの信頼性と便宜性を高める効果がある。
【００２４】
また、本発明は、近距離通信が可能で加盟店番号と従属番号を有する販売者の情報が保存された加盟店情報チップを食堂のテーブル、タクシーなどに固定設置して、買い手が所持した携帯電話には前記加盟店情報チップと近距離通信がなされて販売者の情報、すなわち、加盟店番号と従属番号を読み込んで決済情報を自動確認することができる決済情報認識チップを内蔵または外装設置することで加盟店番号と従属番号を入力する不便を解消することだけではなく、携帯電話モバイルを利用した決済システムの信頼性と便宜性を高める効果がある。
【図面の簡単な説明】
【００２５】
【図１】本発明による携帯電話モバイルを利用した安心決済方法の概念図である。
【図２】本発明による携帯電話モバイルを利用した安心決済方法において安心決済システムのプロセス構成図である。
【図３ａ】本発明による携帯電話モバイルを利用した安心決済方法において買い手登録過程の系統図である。
【図３ｂ】本発明による携帯電話モバイルを利用した安心決済方法において買い手登録過程の順序図である。
【図４ａ】本発明による携帯電話モバイルを利用した安心決済方法において販売者登録過程の系統図である。
【図４ｂ】本発明による携帯電話モバイルを利用した安心決済方法において販売者登録過程の順序図である。
【図５ａ】本発明による携帯電話モバイルを利用した安心決済方法において信用決済過程の系統図である。
【図５ａ】本発明による携帯電話モバイルを利用した安心決済方法において信用決済過程の順序図である。
【図５ｃ】本発明による携帯電話モバイルを利用した安心決済方法において条件決済過程の順序図である。
【図６ａ】本発明による携帯電話モバイルを利用した安心決済方法において加盟店情報チップと決済情報認識チップの内蔵した携帯電話が近接通信する状態を示した例示図である。
【図６ｂ】図６ａに示された加盟店情報チップに決済情報認識チップが内蔵された携帯電話を近接した場合の本発明による携帯電話モバイルを利用した決済過程の順序図である。
【図７ａ】本発明による携帯電話モバイルを利用した決済過程時に携帯電話に表示される画面状態図である。
【図７ｂ】本発明による携帯電話モバイルを利用した決済過程時に携帯電話に表示される画面状態図である。
【図７ｃ】本発明による携帯電話モバイルを利用した決済過程時に携帯電話に表示される画面状態図である。
【図７ｄ】本発明による携帯電話モバイルを利用した決済過程時に携帯電話に表示される画面状態図である。
【図７ｅ】本発明による携帯電話モバイルを利用した決済過程時に携帯電話に表示される画面状態図である。
【図７ｆ】本発明による携帯電話モバイルを利用した決済過程時に携帯電話に表示される画面状態図である。
【図７ｇ】本発明による携帯電話モバイルを利用した決済過程時に携帯電話に表示される画面状態図である。
【図７ｈ】本発明による携帯電話モバイルを利用した決済過程時に携帯電話に表示される画面状態図である。
【図７ｉ】本発明による携帯電話モバイルを利用した決済過程時に携帯電話に表示される画面状態図である。
【発明を実施するための形態】
【００２６】
以下、本発明による携帯電話モバイルを利用した安心決済方法を添付された図１乃至図７ｉによって詳しく説明すれば次のようである。
【００２７】
図１は、本発明による携帯電話モバイルを利用した安心決済方法の概念図として、買い手自分が所持した携帯電話で安心決済システム１０に自分のクレジットカード、キャッシュ（ｃａｓｈ）カードの情報を保存して、前記安心決済システム１０に保存されたカード情報として決済を遂行する買い手携帯電話２０と、
携帯電話、コンピューター、ＰＤＡのような決済受信端末機で安心決済システム１０に加盟店登録を遂行して、前記買い手携帯電話２０で決済承認要請した結果を安心決済システム１０を通じて即時確認可能な販売者決済受信端末機４０と、前記買い手携帯電話２０で安心決済システム１０を通じて決済承認要請時に販売者決済受信端末機４０を所有した販売者に決済金額を支給するように決済承認するカード会社及び金融企業サーバー３０と、
前記買い手携帯電話２０と販売者決済受信端末機４０、そして、カード会社及び金融企業サーバー３０相互間の決済に必要なすべての情報の中継は勿論、買い手携帯電話２０と販売者決済受信端末機４０に決済に必要な画面を提供して、相互間の決済情報を暗号化して保存する安心決済システム１０でなされる。
【００２８】
図２は、本発明による安心決済システム１０の構成図として、情報管理プロセス１１、顧客管理プロセス１２、決済実行プロセス１３、ＳＭＳ発送プロセス１４、フォン及びホームページプロセス１５、位置情報プロセス１６、データ伝送プロセス１７でなされる。
【００２９】
前記情報管理プロセス１１は、買い手携帯電話２０や販売者決済受信端末機４０に入力する情報を確認して保存管理する入、出管理プロセスと、携帯電話、コンピューター、ＰＤＡなど決済受信端末機のシリアル番号を抽出して保存保管する機器情報プロセスと、利用者情報を暗号化して保存する暗号情報プロセス、各プロセスをマッチングして必要情報を抽出して挿入する分析実行プロセスでなされたソリューションである。
【００３０】
前記顧客管理プロセス１２は、買い手携帯電話２０と販売者決済受信端末機４０の情報を保存管理することで、フォンページ（Ｐｈｏｎｅ  ｐａｇｅ）またはホームページ（ｈｏｍｅ  ｐａｇｅ）を要して自動で実行される。
【００３１】
すなわち、買い手携帯電話２０が安心決済システム１０に接続すれば、これを認知後、分析実行プロセスによってカード会社及び金融企業サーバー３０と自動発信と受信して、情報管理プロセス１１に保存すると共に必要情報を抽出してフォン及びホームページプロセスの隊列に自動入力する機能をして、この時買い手携帯電話２０のフォンページがリップル出力されると共に買い手携帯電話２０と販売者決済受信端末機４０のホームページでも出力される。
【００３２】
前記決済実行プロセス１３は、必要情報を前記情報管理プロセス１１で抽出して、カード会社及び金融企業サーバー３０と情報を交換する内容と、買い手携帯電話２０や販売者決済受信端末機４０に入力する内容と、端末機のシリアル番号を抽出して情報管理プロセス１１に自動保存して、必要情報を情報管理プロセス１１で抽出して、フォン及びホームプロセス１５とＳＭＳ発送プロセス１４の隊列に自動入力して実行することで、買い手携帯電話２０や販売者決済受信端末機４０でリアルタイム確認可能にさせるソリューションである。
【００３３】
前記ＳＭＳ発送プロセス１４は、買い手携帯電話２０と販売者決済受信端末機４０に文字情報を自動伝送する役割をするものとして、安心決済システム１０を実行する買い手携帯電話２０と販売者決済受信端末機４０の進行状況をリアルタイムで認知するようにする。
【００３４】
前記フォン及びホームページプロセス１５は、買い手携帯電話２０及び販売者決済受信端末機４０で安心決済システム１０を通じて決済時の要求情報、購買商品、決済する金額などすべての決済進行事項をフォンページまたはホームページの画面に出力するようになっている。
【００３５】
また、買い手携帯電話２０で決済情報の入力を完了して送れば、分析実行プロセスによってカード会社及び金融企業サーバー３０と自動発信と受信して情報管理プロセス１１に保存されて、必要情報を抽出してフォン及びホームページプロセス１５隊列に自動入力されて、この時買い手携帯電話２０の携帯電話にフォンページがリップル出力されることは勿論、販売者の決済受信端末機４０のホームページでもそれぞれ出力される。
【００３６】
前記位置情報プロセス１６は、買い手携帯電話２０と販売者決済受信端末機４０の位置座標が等しいことを利用して、販売者の加盟店情報を買い手に迅速に提供して決済をより容易にするためのものである。
【００３７】
すなわち、加盟店である販売者決済受信端末機４０の位置は、一定な所であり、買い手携帯電話２０は移動をするが、購買（決済）や検索をする時はフォンページに接続する座標を認識して、同一区域の座標とマッチングして分析実行プロセスで販売者決済受信端末機４０の情報をフォンページに自動表示する。
【００３８】
したがって、買い手携帯電話２０に加盟店番号入力なしに安心決済システム１０に接続すれば、位置情報プロセス１６によって同一区域の座標とマッチングして分析実行プロセスで認識された座標と隣接した加盟店を買い手携帯電話２０のフォンページに自動出力して、買い手は買い手携帯電話２０のフォンページに出力された加盟店のうちで決済対象の販売者を選択するようになれば、決済に必要な加盟店情報が自動表示されて、決済金額のみを入力するようになることで決済がより容易にできる。
【００３９】
特に、流通（ＰＯＳ）プログラムを搭載したコンピューター（以下、‘ポスコンピューター’と称する）を使っている販売者決済受信端末機４０が安心決済システム１０と連携されている時、買い手携帯電話２０に従属番号（例えば、飲食店である場合テーブル番号、配達業である場合配達者の番号など）を付与する場合決済に必要な加盟店情報は勿論、決済しなければならない商品内訳と金額まで確認することができる。
【００４０】
このように位置情報プロセス１６を使って決済する場合、買い手携帯電話２０に加盟店情報の入力を減らすために加盟店番号を国家番号３桁、地域識別番号４桁、個人識別番号４桁（変更可能）にして後４桁を同一区域にして加盟店番号が作られて、買い手２０が加盟店番号の後４桁と従属番号さえ入力すれば、位置情報プロセス１６と分析実行プロセスによって加盟店情報を認識して待機列に自動入力して、フォン及びホームページプロセス１５によって買い手２０が所持した携帯電話のフォンページに自動出力されて、このような従属番号に対する詳細な説明は後述することにする。
【００４１】
前記データ伝送プロセス１７は、安心決済システム１０で買い手携帯電話２０とカード会社及び金融企業サーバー３０及び販売者決済受信端末機４０の間に交換されるすべての情報を携帯電話とインターネットの公衆通信網に伝送または受信することができる通信ポートである。
【００４２】
前記のように安心決済システム１０、買い手携帯電話２０、カード会社及び金融企業サーバー３０、販売者の決済受信端末機４０が存在して、前記安心決済システム１０は情報管理プロセス１１、顧客管理プロセス１２、決済実行プロセス１３、ＳＭＳ発送プロセス１４、フォン及びホームページプロセス１５、位置情報プロセス１６、データ伝送プロセス１７でなされた携帯電話モバイルを利用した安心決済システムの決済方法を添付された図３ａ乃至図６ｂによって詳しく説明すれば次のようである。
【００４３】
先ず、本発明による携帯電話モバイルを利用した安心決済方法は、買い手携帯電話２０を通じて安心決済システム１０に認証を求める買い手登録過程７０と、販売者の決済受信端末機４０を通じて安心決済システム１０に認証を求めて加盟店番号を受ける販売者登録過程９０と、前記買い手登録過程７０及び販売者登録過程９０が完了した状態で買い手携帯電話２０と販売者決済受信端末機４０の間になされる安心決済過程６０でなされる。
【００４４】
図３ａは、本発明による携帯電話モバイルを利用した安心決済方法において、買い手携帯電話２０を使って安心決済システム１０に登録する買い手登録過程の系統図であり、図３ｂは買い手登録過程の流れ図６０として詳しく説明すれば次のようである。
【００４５】
先ず、図３ａ及び図３ｂのように買い手携帯電話２０で決済システムのホームページに接続１０１するようになれば、図７ａの画面（ａ）のようにフォンページに安心決済システム１０に必要なプログラムをダウンすることができる画面が表示されて、買い手携帯電話２０には画面に表示されたカード使用者を選択してプログラムのダウンロードを受けて設置１０２すれば、図７ａの画面（ｂ）のように買い手が使用するカード情報及び買い手の人的情報を入力する画面がフォンページに表示１０３される買い手モバイルカード設置過程（Ｌ１）を遂行する。
【００４６】
前記買い手モバイルカード設置過程（Ｌ１）を完了した状態で買い手携帯電話２０には下の画面２のようにフォンページに表示された安心決済システム１０で要求するカード情報（カード種類、カード番号、有効期間、カードパスワード）と買い手情報（氏名、住民登録証発行日）を入力後伝送１０４するようになれば、安心決済システム１０でこれの情報を受信して、カード会社及び金融企業サーバー３０に買い手携帯電話２０の登録とカード登録を要請する買い手モバイルカード認証要請過程（Ｌ２）を遂行する。
【００４７】
前記買い手モバイルカード認証要請過程（Ｌ２）の遂行が完了すれば、カード会社及び金融企業サーバー３０では安心決済システム１０から伝送される買い手携帯電話２０の個人情報及びカード情報を比較分析してすべての情報が一致して使用可能なカードである場合に買い手携帯電話２０及び買い手の情報を暗号化して保存した後、買い手情報及びカード登録完了情報を安心決済システム１０に送るようになる。
【００４８】
したがって、前記安心決済システム１０では、カード会社及び金融企業サーバー３０から買い手情報及びモバイルカード登録可能可否の情報を受信１０６するようになって、登録情報が受信されることが判断１０７される場合仮認証１０８して、買い手携帯電話２０の情報とカード情報（カード番号、有効期間、カードのパスワード、携帯電話番号、携帯電話のシリアル番号）を抽出して情報管理プロセス１１に保存１０９する買い手モバイルカード仮認証過程（Ｌ３）を遂行する。
【００４９】
ここで前記情報管理プロセス１１で買い手携帯電話２０のシリアル番号を抽出して保存する理由は、買い手携帯電話２０が複製の被害にあう場合が発生する場合において、正常な買い手携帯電話２０の携帯電話を確認するためのものである。
【００５０】
前記買い手モバイルカード仮認証過程（Ｌ３）の遂行が完了すれば、買い手携帯電話２０のフォンページに図７ｂのように買い手が使わなければならないアイディー（ＩＤ）とパスワードを入力する画面を表示１１０して要求するようになって、これによって買い手は買い手携帯電話２０を通じてアイディー（ＩＤ）とパスワードを生成して伝送１１１すれば、安心決済システム１０でこれを認知１１２して、図７ｂの画面（ｂ）のように決済時に使用する決済暗号と緊急時使用する緊急暗号を入力する画面をフォンページに表示１１３する買い手モバイルカード認証準備過程（Ｌ４）を遂行する。
【００５１】
前記買い手モバイルカード認証準備過程（Ｌ４）が完了すれば、上の画面４で表示されたように買い手の決済暗号または緊急暗号を入力及び伝送１１４するようになって、安心決済システム１０では決済暗号と緊急暗号の入力が完了したことが認知１１５されれば、安心決済システム１０では買い手が間違いないようにするために実習用で買い手携帯電話２０のフォンページに仮想決済実行画面を表示１１６するようになる。
【００５２】
この時、買い手携帯電話２０のフォンページを通じて５回にわたって仮想決済を実行１１７するようにして、５回の仮想決済が正常になされることが判断１１８されればＩＤ、パスワード、決済暗号、緊急暗号を保存して最終認証１１９すると共に買い手携帯電話２０で買い手が登録完了したことを文字情報（ＳＭＳ）を発送する買い手モバイルカード最終認証過程（Ｌ５）を遂行することで買い手登録過程７０を完了するようになる。
【００５３】
ここで前記買い手登録過程７０の買い手モバイルカード最終認証過程（Ｌ４）のうちで買い手のアイディー（ＩＤ）とパスワードを６桁以上にして、前記買い手が設定したアイディー（ＩＤ）とパスワードを利用して緊急アイディー（ＩＤ）とパスワードを自動で付与して、緊急暗号を設定することで監禁または拉致によって通話が難しい事項で安心決済システム１０で緊急救助要請ができるようにしている。
【００５４】
すなわち、上の画面４のように安心決済システム１０に接続時、使用するパスワードを‘５８９６２６’で設定した場合前の席二つの字‘５８’を後に付けた‘９６２６５８’が緊急パスワードで自動設定されて、決済暗号を買い手携帯電話２０のフォンページ上端に表示された‘＃安全決済システム’のうちで二つの字以上選択（便宜上、‘シス’を選択したと仮定する）して、緊急暗号を二つの字以上選択（便宜上、‘ス＃’を選択したと仮定する）して設定する。
【００５５】
すなわち、買い手がパスワードを‘５８９６２６’で安心決済システム１０に接続後、決済暗号‘シス’を入力して承認要請すれば、正常な決済要請のための接続で判定するようになるが、買い手がパスワードを‘９６２６５８’で安心決済システム１０に接続後、緊急暗号‘ス＃’を入力して承認要請すれば、買い手が緊急状態であることを認知して１１２に緊急救助要請を自動で送信するなどそれに適切な対応をするようになるものであり、また、このような機能が分かれば犯罪の予防効果を得ることができる。
【００５６】
図４ａは、本発明による携帯電話モバイルを利用した安心決済方法において、販売者決済受信端末機４０または決済受信端末機を使って安心決済システム１０に販売者登録過程９０系統図であり、図４ｂは販売者登録過程９０の流れ図として詳しく説明すれば次のようである。
【００５７】
先ず、図４ａ及び図４ｂのように販売者決済受信端末機４０を使って安心決済システム１０に接続１３１ａするようになれば、図７ｃの画面（ａ）のようにフォンページまたはモニター画面に安心決済システム１０に必要なプログラムをダウンすることができる画面が表示される。
【００５８】
この時、販売者の決済受信端末機４０画面に表示された加盟店専用のコンピューター使用者、携帯電話使用者、ナビゲーション使用者、ポス使用者のうちで一つを選択してプログラムのダウンロードを受けて設置１３２して、プログラムのダウンロード及び設置が完了すれば、図７ｃの画面（ｂ）のように販売者の情報を入力する画面をフォンページに表示１３３する決済システム販売者設置過程（Ｌ６）を遂行する。
【００５９】
前記決済システム販売者設置過程（Ｌ６）の遂行が完了すれば、販売者決済受信端末機４０には上の図７ｃの画面（ｂ）で要求する業者番号、代表者、住民登録番号、銀行及び通帳番号、電話番号、携帯電話番号、住所、ホームページ住所、業種、ファックス番号を入力して伝送１３４すれば、安心決済システム１０でこれを認知１３５して情報管理プロセス１１で販売者の情報を保存１３６すると共にカード会社及び金融企業サーバー３０に加盟店登録を要請１３７した後、加盟店登録情報が受信可否を判断１３８する販売者認証要請過程（Ｌ７）を遂行する。
【００６０】
前記販売者認証要請過程（Ｌ７）の遂行が完了すれば、前記カード会社及び金融企業サーバー３０では安心決済システム１０から伝送される販売者の情報、すなわち、加盟店情報を暗号化して保存した後、加盟店登録完了情報を安心決済システム１０に伝送１３８するようになる。
【００６１】
前記カード会社及び金融企業サーバー３０から加盟店登録完了情報が受信１３８されれば、販売者決済受信端末機４０で安心決済システム１０に接続するためのＩＤとパスワードを入力する画面がフォンページに表示１３９されて、これによって販売者はＩＤとパスワードを入力して伝送１４０するようになる。
【００６２】
この時、安心決済システム１０では販売者のＩＤとパスワードの入力が完了することが認知１４１されれば、販売者決済受信端末機４０に加盟店番号を付与１４２した後、最終的に認証１４３完了して、引き継いで情報管理プロセス１１からＩＤ、パスワード、加盟店番号、携帯電話シリアル番号、または決済受信端末機使用者の場合コンピューター、ＰＤＡ、ポスコンピューターのシリアル番号、ナビゲーションシリアル番号を抽出して保存１４４して、図７ｄのように販売者決済受信端末機４０に加盟店登録完了を知らせる画面を表示すると共に販売者決済受信端末機４０に加盟店登録が完了したことを、文字情報（ＳＭＳ）を発送１４５する販売者認証過程（Ｌ９）を遂行することで、安心決済システム１０に販売者を登録する販売者登録過程９０を完了するようになる。
【００６３】
ここで、前記情報管理プロセス１１が販売者決済受信端末機４０のシリアル番号及び決済受信端末機使用者の場合にコンピューター、ＰＤＡ、ポスコンピューターのシリアル番号と、ナビゲーションシリアル番号を抽出して保存する理由は、買い手携帯電話２０及び決済受信端末機外に他の機器として他人が使用することができないようにして安全性を確保するためのものである。
【００６４】
前記販売者登録過程９０で発生される加盟店番号と従属番号の定義に対して説明すれば次のようである。
【００６５】
前記加盟店番号は、カード会社及び金融企業サーバー３０ごとに異なるように付与されて販売者の加盟店番号が多数であるが、決済を受ける金融企業と通帳は一つである。したがって、販売者は一つであるが、いくつかの加盟店番号による混同を無くすために安心決済システム１０では固有な統合加盟店番号を決めて使用するようにして、アイディーとパスワードでインターネット通信が可能な認証された機器、すなわち、携帯電話、コンピューター、ＰＤＡのような決済受信端末機で安心決済システム１０に接続すれば、決済がなされた承認番号をリアルタイムで確認するようになっている。
【００６６】
また、前記従属番号は、販売者の業種が多様であることによって飲食店の座席番号、カラオケの客室番号、ホテルの客室番号、ショッピングモール及びホームショッピングの商品番号、自動車番号（または、会社で指定した番号）を‘従属番号’と定義して買い手の取り引き現況と決済金額を識別するためのものである。
【００６７】
すなわち、買い手携帯電話２０に直接販売者の加盟店番号と従属番号を入力して送れば販売者の情報と決済する金額が表示されるようにするために従属番号が必要なものであり、特に、ポスコンピューターを使用する加盟店では従属番号（座席番号）の購買情報をポス（ＰＯＳ）に入力することは当たり前なことであり、買い手携帯電話２０に従属番号を入力して送れば購買内訳と決済金額を確認することができるようになる。
【００６８】
次は、前記販売者登録過程９０で発生される販売者４０の決済受信端末機に対する全体的な動作概要を説明すれば次のようである。
【００６９】
本発明の安心決済システム１０は、情報管理プロセス１１で買い手携帯電話２０と販売者決済受信端末機４０に送る情報を保存して、決済実行プロセス１３は必要情報を抽出して各プロセスに挿入しながら実行する。
【００７０】
したがって、買い手携帯電話２０で、フォンページで決済情報を入力して送れば、この情報を情報管理プロセス１１で保存して、決済実行プロセス１３は必要情報を抽出して販売者４０が所持した携帯電話のフォンページにリアルタイムで自動入力とＳＭＳも伝送されて確認するようになっている。小型店鋪の大部分は、買い手が加盟店番号と決済金額を入力して送れば、加盟店情報と決済金額が同時に表示される。
【００７１】
また、ポス（ＰＯＳ）コンピューターを使用する販売者は、買い手の商品をポス（ＰＯＳ）コンピューターに入力して買い手携帯電話２０を使って安心決済システム１０のフォンページに接続すれば、決済実行プロセス１３は購買情報を抽出して買い手携帯電話２０のフォンページに伝送されて、前記買い手がフォンページを確認して決済承認要請を送れば、決済情報を情報管理プロセス１１は保存して、決済実行プロセス１３は必要情報を抽出してカード会社及び金融企業サーバー３０に送って、決済承認内訳を販売者決済受信端末機４０またはポスコンピューターホームページに自動入力処理と同時にリアルタイムＳＭＳも伝送するようになって、買い手携帯電話４０のフォンページと販売者決済受信端末機４０のホームページでそれぞれ決済承認を確認するようになっている。
【００７２】
前記の図３ａ、図３ｂ及び図４ａ、図４ｂのように買い手携帯電話２０を使った買い手情報と、販売者の決済受信端末機４０を使った販売者情報すべてが安心決済システム１０に登録が完了した状態で携帯電話モバイルを利用した安心決済方法を詳しく説明すれば、次のようである。
【００７３】
本発明で携帯電話モバイルを利用した安心決済方法は、一般的な信用決済方法と、少額決済方法と、条件決済方法の大きく三つで仕分けされ、それぞれの決済過程を詳しく説明すれば次のようである。
【００７４】
図５ａは、本発明において少額決済及び信用決済過程の系統図であり、図５ｂは少額決済及び信用決済過程の流れ図として、図３ａ乃至図４ｂに示されたように安心決済システム１０に買い手及び販売者登録過程７０、９０を遂行した状態で買い手が決済をするために買い手携帯電話２０で安心決済システム１０に接続７１する決済システム接続過程（Ｌ１１）を遂行する。
【００７５】
前記決済システム接続過程（Ｌ１１）が完了すれば、図７ｅのように買い手携帯電話２０のフォンページに買い手情報（ＩＤ／パスワード）と、販売者の情報（加盟店番号／従属番号）そして、決済方法を要求する画面がディスプレイ７２されて、これによって買い手のＩＤ、パスワードと、販売者の加盟店番号、従属番号を入力伝送７３する情報入力過程（Ｌ１２）を遂行する。
【００７６】
前記情報入力過程（Ｌ１２）が完了すれば、安心決済システム１０の情報管理プロセス１１で買い手のＩＤ、パスワード、携帯電話シリアル番号をマッチングして買い手及び販売者を確認する手続きを進行７４するようになって、伝送されたすべての情報が登録された買い手の情報と一致することが判断７５される場合、加盟店番号と従属番号を抽出して買い手携帯電話２０のフォンページに  図７ｆの画面（ａ）及び（ｂ）のように決済しなければならない内容（購買商品類、販売金額、加盟店の相互、電話番号）と決済暗号を要求する画面をディスプレイ７６する買い手確認過程（Ｌ１３）を遂行する。
【００７７】
この時、販売者は、決済内容（従属番号に該当する購買商品類、販売金額）の情報をポスに入力して、安心決済システム１０に伝送９２する販売者決済内容の伝送過程（Ｌ１６）を遂行することで、図７ｆの画面（ａ）（位置情報システム利用時にディスプレイ）または、図７ｆの画面（ｂ）（  （買い手２０が加盟店番号と従属番号を入力伝送する時ディスプレイ）のような決済内容が買い手携帯電話２０のフォンページに表示される。
【００７８】
前記買い手確認過程（Ｌ１３）が完了すれば、図７ｆの画面（ａ）及び（ｂ）で決済内容と決済金額を確認して、決済方法のうちで‘信用’を選択した後、決済情報（カードの種類及び分割払い期間）、そして、買い手登録過程７０で設定した決済暗号を入力及び承認要請７７するようになれば、安心決済システム１０では信用決済で認知７８して、該当カード会社及び金融企業サーバー３０に決済金額の承認を要請７８して、承認可否の結果を安心決済システム１０に送るカード承認過程（Ｌ１４）を遂行する。
【００７９】
この時、前記カード会社及び金融企業サーバー３０で買い手の決済金額の承認要請時に特定事由によって承認不可判定を下す場合、その事由を含んで安心決済システム１０に送って、前記安心決済システム１０では買い手携帯電話２０に承認不可の事由を送って、携帯電話モバイルを利用したカード安心決済過程を終了する。
【００８０】
前記カード承認過程（Ｌ１４）の遂行が完了してカード会社及び金融企業サーバー３０からカード承認情報が伝送されれば、安心決済システム１０では承認情報を暗号化して保存する一方、買い手携帯電話２０のフォンページに図７ｇの画面（ａ）及び（ｂ）と同じ内容で決済（承認）が完了したことを知らせる画面を表示８２する。
【００８１】
これと同時にカード会社及び金融企業サーバー３０からカード承認情報が伝送されれば、安心決済システム１０では販売者決済受信端末機４０または販売者が所持した決済受信端末機（コンピューター、ＰＤＡ）のモニターには  図７ｈの画面（ａ）及び画面（ｂ）  （ポスコンピューター使用者の場合図７ｈの画面（ｃ））のようにカード会社及び金融企業サーバー３０から承認された承認情報を表示８２する。
【００８２】
前記のように買い手携帯電話２０と販売者決済受信端末機４０のフォンページに承認完了情報をディスプレイした後、買い手携帯電話２０と販売者決済受信端末機４０すべてに決済完了文字情報（ＳＭＳ）を伝送８３する決済終決過程（Ｌ１５）を遂行することで一連の携帯電話モバイルを利用したカード信用決済過程を完了するようになる。
【００８３】
次は、少額決済方法として前述したカード承認過程（Ｌ１４）の決済方法選択段階７６ａで少額決済を選択するようになれば、決済暗号入力なしに少額指定カード情報（カードの種類及び一回払い）で自動選択されて、金額だけ確認及び入力伝送して少額の決済がなされるようにした。
【００８４】
すなわち、決済金額が一定金額未満である場合、図７ｉの画面（ａ）のように‘少額’という字が表示されて、この時には決済暗号設定なしに承認を要請すれば、図７ｉの画面（ｂ）でのように承認されて決済がなされるようになる。
【００８５】
次は、条件決済方法として本発明で定義する‘条件決済’は、買い手と販売者との間の約束を履行する条件的な決済として、物品購入時に買い手が１次的に仮承認要請して、一定条件（商品到着、品質、サービス）を満足させる時、２次的に実際承認する決済方法として‘安心’を選択することでなされる。
【００８６】
このような条件決済方法は、図５ｃに示されたように安心決済システム１０で条件承認（仮承認）内容を一定期間（調整可能）が経過すれば、条件の充足８４（商品到着、品質、サービス）の可否を問って、条件が充足される場合条件承認を正式承認に転換８５して、また、販売者と買い手の回答可否によって承認または安心承認（仮承認）を留保８６、あるいは取り消して、無回答である場合一定期限の猶予期間をおいて、自動承認されるようにする条件決済承認過程（Ｌ１５ａ）を遂行することで、不正販売行為を根絶して買い手は安心して購買することができる決済要件を満足するようにした。
【００８７】
前述したように信用決済方法、少額決済方法、安心決済方法のうちでいずれか一つを選んで進行するにおいて、販売者の業種及び規模によって従属番号がない加盟店である場合には、買い手が決済金額を確認することができない状態であるので、このような時には販売者から決済金額を確認した後、買い手が直接決済金額を入力して承認手続きを経ることで決済を進行するようになる。
【００８８】
一方、前記信用決済方法、少額決済方法、安心決済方法のうちでいずれか一つを選んで進行するにおいて、買い手携帯電話２０に販売者の加盟店番号と従属番号を入力することで決済金額を確認することができるが、加盟店番号を入力する不便を無くすために位置情報プロセス１６を利用して販売者の加盟店番号を容易に捜すことができる。
【００８９】
すなわち、買い手携帯電話２０を通じて安心決済システム１０に接続すれば、販売者決済受信端末機４０と買い手携帯電話２０は、位置が同一な座標になる。したがって、販売者である加盟店の位置は一定な所であり、買い手携帯電話２０は移動をするが、購買または検索をする時は位置情報プロセス１６によってフォンページに接続する座標を認識して同一区域の座標とマッチングして、図７ｆの画面（ａ）ように一定半径以内の加盟店が表示されて、買い手はこの画面に表示される決済対象の加盟店を選択する場合情報管理プロセス１１及び顧客管理プロセス１２で買い手携帯電話２０のフォンページに加盟店番号が自動入力されるようにすることで、加盟店情報の確認及び入力が容易になる。
【００９０】
また、前記信用決済方法、少額決済方法、安心決済方法のうちでいずれか一つを選んで進行するにおいて、買い手が販売者の加盟店番号と従属番号を入力することで決済金額を確認することができるが、加盟店番号と従属番号のすべてを入力する不便を無くすために近距離通信が可能で、加盟店番号と従属番号を有する販売者の情報が保存された加盟店情報チップを食堂などのテーブルに固定設置して、買い手携帯電話２０には前記加盟店情報チップと近距離通信がなされて販売者の情報、すなわち、加盟店番号と従属番号を読み込んで決済情報を自動確認することができる決済情報認識チップを内蔵または外装設置することで、加盟店番号と従属番号を入力する不便を解消した。
【００９１】
図６ａは、販売者の加盟店室内に位置したテーブルに加盟店情報チップ４１を設置して、決済情報認識チップ２１が内蔵された買い手携帯電話２０を、近接した状態を示した例示図であり、図６ｂは図６ａに示された加盟店情報チップ４１に決済情報認識チップ２１が内蔵された携帯電話を、近接した場合の携帯電話モバイルを利用したカード決済過程の流れ図である。
【００９２】
先ず、図６ａのように買い手携帯電話２０で安心決済システム１０に接続６１した状態で販売者加盟店のテーブルのように所定位置に設置された加盟店情報チップ４１に決済情報認識チップ２１が内蔵された買い手携帯電話２０を近接するようになれば、前記決済情報認識チップ２１と加盟店情報チップ４１との間にお互いに近接通信するようになって、この時、買い手携帯電話２０のマイクロプロセスユニット（ＭＰＵ）では図６ｂのように決済情報認識チップ２１と加盟店情報チップ４１との間にお互いに近接通信されることを認知６２する近接通信過程（Ｌ１７）を遂行するようになる。
【００９３】
前記近接通信過程（Ｌ１７）が完了すれば、買い手携帯電話２０では加盟店情報チップ４１に保存された販売者の加盟店番号と従属番号を抽出して、決済情報認識チップ２１によって抽出された加盟店番号と従属番号に該当する決済する内容を承認要請する接続及び確認過程（Ｌ１８）を遂行する。
【００９４】
前記自動接続及び確認過程（Ｌ１８）が完了すれば、以後のカード承認過程（Ｌ１４）、決済終決過程（Ｌ１５）、販売者決済内容伝送過程（Ｌ１６）の決済流れは、図５で前述した信用決済方法と同一になされる。
【００９５】
このように販売者の加盟店テーブルに加盟店情報チップ４１を設置して、決済情報認識チップ２１が内蔵された買い手携帯電話２０を近接する場合自動で安心決済システム１０に接続されると共に販売者の加盟店番号及び従属番号が自動で認知されて、決済内容を確認することができるようになることで安心決済システム１０でカード決済時加盟店番号と従属番号を入力する不便を解消することができて機能性をより向上させることができる。
【００９６】
また、販売者の加盟店テーブルに設置された加盟店情報チップ４１と買い手携帯電話２０に内蔵または外装に設置された決済情報認識チップ２１の間にお互いに近接通信時に自動で安心決済システム１０に接続されるためには携帯電話の製品出庫時に保存されるか、または既に使われる携帯電話の場合決済情報認識チップ２１を設置しなければならず、プログラムのダウンロードを受けて使用可能になる。
【００９７】
また、前記加盟店情報チップ４１は、プラスチック材質のカバーとして保護されて、故障や破損時に入れ替えが可能になるようになっている。
【産業上の利用可能性】
【００９８】
以上説明したように、本発明による携帯電話モバイルを利用したカード決済システム及びそのシステムを利用したカード決済方法は、買い手（決済者）が販売者（決済を受ける者）の加盟店番号（従属番号含み）を直接入力して、販売者（決済を受ける者）は携帯電話、コンピューター、ＰＤＡのような決済受信端末機で決済を受けることができるようにすることで、買い手（決済者）のカード情報露出がなくてすべてのカード会社及び金融企業が利用することができるし、販売者は別途の構築経費なしに施行することができて便利さを提供する。
【符号の説明】
【００９９】
１０  安心決済システム
１１  情報管理プロセス
１２  顧客管理プロセス
１３  決済実行プロセス
１４  ＳＭＳ発送プロセス
１５  フォン及びホームページプロセス
１６  位置情報プロセス
１７  データ伝送プロセス
２０  買い手携帯電話
２１  決済情報認識チップ
３０  カード会社及び金融企業
４０  販売者の決済受信端末機
４１  加盟店情報チップ
【図６ａ】
2014509428.tif 000003
【図７ａ】
2014509428.tif 000004
【図７ｂ】
2014509428.tif 000005
【図７ｃ】
2014509428.tif 000006
【図７ｄ】
2014509428.tif 000007
【図７ｅ】
2014509428.tif 000008
【図７ｆ】
2014509428.tif 000009
【図７ｇ】
2014509428.tif 000010
【図７ｈ】
2014509428.tif 000011
【図７ｉ】
2014509428.tif 000012
【図１】
2014509428.tif 000013
【図２】
2014509428.tif 000014
【図３ａ】
2014509428.tif 000015
【図３ｂ】
2014509428.tif 000016
【図４ａ】
2014509428.tif 000017
【図４ｂ】
2014509428.tif 000018
【図５ａ】
2014509428.tif 000019
【図５ｂ】
2014509428.tif 000020
【図５ｃ】
2014509428.tif 000021
【図６ｂ】
2014509428.tif 000022
【国際調査報告】
2014509428.tif 000023
2014509428.tif 000024
2014509428.tif 000025
2014509428.tif 000026